(57)【要約】【課題】  解決しようとする問題点は、ドアストッパーを使用する際に、屈みこむ必要が無く、足先や靴先などで、簡単に使用できるドアストッパーを提供する事である。【解決手段】  本発明は足先や靴先で屈みこまず簡単に操作使用できる、ドアストッパーを提供するため、ドアに固定して付ける本体１との組合せ部分を支点として、回動容易に組み合わせた操作用アーム５と、操作用アーム５に沿ってスライドと回転を容易に行えるように係止体６を軸８で組み合わせる事により、操作アーム５を足先や靴先で操作する事により係止体６で閉まろうとするドアを止める事が出来る構造とした事である。【選択図】図１
2016130445.tif 000002
【特許請求の範囲】
【請求項１】
ドア下部に取付けた本体１との組み合わせ部分を支点として、回動容易に組み合わせた操作用アーム５に、係止体６が操作用アーム５に沿って、スライド容易に動くように支持軸８で組み合わせ、また、支持軸９を軸として、係止体６を回転容易に組み合わせる事で、係止体６がドアと床の隙間の変化に対応して床と本体１に同時に接触する事で、それぞれの接触部分に生じる摩擦力で、閉まろうとするドアを止める構造とした事を特徴とするドアストッパー。
【請求項２】
操作用アーム５にバネやゴム等で床と本体１方向に付勢する力を加え、係止体を床と本体１に押し付ける事で、それぞれの接触部分の摩擦力を強くする構造とした事を特徴とする請求項１のドアストッパー。
【請求項３】
ドアの床側部分に凹部を設け、この凹部に埋め込み使用する事を特徴とする請求項１のドアストッパー。
【発明の詳細な説明】
【技術分野】
【００１】  本発明はドアを開けた時にドアクローザーなどにより、閉まろうとするドアを係止体を用いて、床とドアと係止体、それぞれの接触部分の摩擦力や楔効果を利用して、閉まろうとするドアを任意の開閉角度で、仮に固定する為のドアストッパーに関するものである。
【背景技術】
【００２】  ドアストッパーには、ドアと床の隙間に差し込み止める楔状のストッパーやゴムボールなどをドアに接して設置し、ゴムボールとドア及び床との摩擦力によりドアを固定する方法などが手軽に使え、実用上充分であった。【００３】  しかし、実用に供されているドアストッパーは、床とドアの隙間に差込み使用する物や、閉まろうとするドアの前に係止体を置き、摩擦力で止める物などがあるが、使用に際しては屈みこむ必要があり、不便である。
【先行技術文献】
【特許文献】
【００４】
【特許文献１】特許公開２０１４−１４５２４４号公報
【特許文献２】特許公開２００４−３１６３９２号公報
【特許文献３】特許公開２０１１−１２６０５４号公報
【発明の概要】
【発明が解決しようとする課題】
【００５】  解決しようとする問題点は、ドアストッパーを使用する際に、屈みこむ必要が無く、足先や靴先などで、簡単に使用できるドアストッパーを提供する事である。
【課題を解決するための手段】
【００６】  本発明は足先や靴先で屈みこまず簡単に操作使用できる、ドアストッパーを提供するため、ドアに固定して付ける本体１との組合せ部分を支点として、回動容易に組み合わせた操作用アーム５と、操作用アーム５に沿ってスライドと回転を容易に行えるように係止体６を軸で組み合わせる事により、操作アーム５を足先や靴先で操作する事により係止体６で閉まろうとするドアを止める事が出来るようにした構造である。【００７】  又、係止体６と床との摩擦力をより大きくする手段として、操作用アーム５にバネやゴム等で床方向へ付勢する力を与え、係止体６を床とドアに押し付けるようにすることで、より確実に閉まろうとするドアを止める事が出来るようにした構造である。
【発明の効果】
【００８】  本発明のドアストッパーは、使用時に屈みこむ必要が無く、立った状態で使用出来る為、高齢な方や、膝や足に不自由を抱える方にも簡単に使用でき、バリアフリー対応のドア等に最適である。【００９】  又、床の上を転動容易に動く係止体を使用する事で、本発明を使用した状態でドアを開ける方向へ動かしても、係止体が引き摺られる事無く、床の上を転動しながら追従するため、床に傷を付けることも無く、安心して使用できるという効果がある。
【発明を実施するための形態】
【０１０】  実施の形態は、ドアに取付ける本体１・取付金具２・操作アーム５・係止体６・支持軸８により構成されている。
【０１１】  取付金具２とドアは、両面テープ、接着剤、ねじ等で取り付け、取付金具２と本体１も同様に取付けて使用する形態である。
【０１２】  本体１は材料に、木、金属、樹脂等で形成し、構造は操作アーム５と組合わせる組合わせ穴４と操作アーム５のバネ効果を利用できるように本体から徐々に盛り上がる形状の凸部３を設けた形態である。
【０１３】  操作アーム５は素材に、鋼線等を使用し、操作部９をゴムや樹脂等で被覆し、図５の形状とし、本体１と回動容易に組合わせ、鋼線のバネ特性を利用し、操作アーム５を上下に動かした時、本体凸部３を通過するように組合わせる事で凸部３を操作アーム５が徐々に広がり頂上部を過ぎると徐々に挟まる構造とする事で、本発明ドアストッパーをドアに取付け使用する際に、係止体６を上部に留める事と係止体６を床方向へ押し付ける作用をもたらす形態である。
【０１４】  支持軸８は、係止体６を回転容易に操作アーム５に組合わせると共に、係止体６を操作アームに沿ってスライド容易に組合される形態である。
【０１５】  係止体６は、摩擦力の強い素材で、床の上を転動容易な形態である。
【０１６】  本体１の床面に対面する形状は、床面に対して傾斜した形状の形態である。
【０１７】  ドアストッパーをドアに付ける事により、ドアストッパーがドアから出っ張る為、ドアストッパー取付け部分のドアに、凹部を設け、ドアストッパーを埋め込み使用するようにする事で、見た目も良く、ドアから出っ張ったストッパーに、足を引っ掛けたりする事も無くなる。
【０１８】  以上の構成と構造とする事により、足先や靴先で操作アーム５を上下に動かし、屈み込まずにドアストッパーを使用できる形態である。
【実施例】
【０１９】  図１が本発明ドアストッパーの実施例であり、図７のようにドア下部に取付けて使用する。
【産業上の利用可能性】
【０２０】  本発明ドアストッパーは、ドアに取付け簡単な操作で、屈み込まず使用でき、バリアフリー対応の建物等にも利用できる。
【図面の簡単な説明】
【図１】ドアストッパーの全体の構造と使用方法を示す説明図である。（実施例）
【図２】取付金具２の形状を示す説明図である。
【図３】本体１の形状を示す説明図である。
【図４】係止体６の形状を示す説明図である。
【図５】操作アーム５の形状を示す説明図である。
【図６】支持軸８の形状を示す説明図である。
【図７】実施例の使用説明図である。
【図８】ドアストッパーをドアに埋め込み使用する構造の説明図である。
【符号の説明】１  本体
２  取付金具
３  凸部
４  組合せ穴
５  操作アーム
６  係止体
７  貫通穴
８  支持軸
９  操作部
【図１】
2016130445.tif 000003
【図２】
2016130445.tif 000004
【図３】
2016130445.tif 000005
【図４】
2016130445.tif 000006
【図５】
2016130445.tif 000007
【図６】
2016130445.tif 000008
【図７】
2016130445.tif 000009
【図８】
2016130445.tif 000010